(57)【要約】【課題】被検者にかかる負担を減らし、被検者の応答の信頼性を高め、視覚障害を簡便に検査する。【解決手段】リングＲ１がその中心点を固視点Ｆと一致させて表示され、リングの一部に切れ目Ｎ１が発生される。リングは順次サイズを変えて表示され、サイズが変わる後に切れ目の発生位置も変化され、被検者が切れ目を知覚したかどうかが判定される。切れ目は固視点を点滅表示させた後発生され、この固視点の点滅が切れ目発生の合図となり、固視点は切れ目が発生すると消滅される。被検者はリングの出現並びに切れ目の発生を予測することが容易になり、被検者にとって負担が少ない視覚検査ができる。【選択図】図６
2016116542.tif 000002
【特許請求の範囲】
【請求項１】
被検者を固視させる固視点を表示する表示部と、
該固視点の周りを囲む図形として構成された視覚パターンを、該視覚パターンの一部に時間的な変化を発生させて前記表示部に表示させる表示制御手段と、
前記視覚パターンの一部に発生した時間的な変化に対する被検者の応答を受け取って被検者が該時間的な変化を知覚したかどうかを判定する知覚判定手段と、を備え、
前記表示制御手段は、複数の視覚パターンを順次表示し、表示する毎にそのサイズを変化させることを特徴とする視覚検査装置。
【請求項２】
前記表示制御手段は、視覚パターンのサイズが変わる毎に該視覚パターンの一部に発生する時間的な変化の発生位置を変化させることを特徴とする請求項１に記載の視覚検査装置。
【請求項３】
前記表示制御手段は、所定時間が経過するごとに視覚パターンをそのサイズを変化させて表示することを特徴とする請求項１又は２に記載の視覚検査装置。
【請求項４】
前記表示制御手段は、固視点を表示させた後前記視覚パターンの一部に時間的な変化を発生させ、同時に固視点を消滅させることを特徴とする請求項１から３のいずれか１項に記載の視覚検査装置。
【請求項５】
前記表示制御手段は、視覚パターンとその背景の表示コントラストを可変に制御することを特徴とする請求項１から４のいずれか１項に記載の視覚検査装置。
【請求項６】
被検者を固視させる固視点を表示する表示部と、
該固視点の周りを囲む図形として構成された視覚パターンを、該視覚パターンの一部に時間的な変化を発生させて前記表示部に表示させる表示制御手段と、
前記視覚パターンの一部に発生した時間的な変化に対する被検者の応答を受け取って被検者が該時間的な変化を知覚したかどうかを判定する知覚判定手段と、を備え、
前記表示制御手段は、固視点を表示させた後前記視覚パターンの一部に時間的な変化を発生させ、同時に固視点を消滅させるように、固視点の点灯を制御することを特徴とする視覚検査装置。
【請求項７】
前記視覚パターンはリングとして構成され、リング中心を固視点と合致させてリングが表示されることを特徴とする請求項１から６のいずれか１項に記載の視覚検査装置。
【請求項８】
前記視覚パターンの一部に発生する時間的な変化は、前記リングに切れ目を発生させることにより行われることを特徴とする請求項７に記載の視覚検査装置。
【請求項９】
前記表示制御手段は、切れ目のサイズを可変に制御することを特徴とする請求項８に記載の視覚検査装置。
【請求項１０】
前記切れ目のサイズは、固視点から遠ざかるにつれて大きくなることを特徴とする請求項９に記載の視覚検査装置。
【請求項１１】
前記表示制御手段は、複数のリングを径を変えて順次表示し、表示される全てのリングの中心を固視点に合わせて各リングを表示したとき、切れ目が互いに重複しないように、各リングの一部に切れ目を発生させることを特徴とする請求項８から１０のいずれか１項に記載の視覚検査装置。
【請求項１２】
前記時間的な変化の発生する位置に関連して該時間的な変化に対する被検者の応答の有無が記録されることを特徴とする請求項１から１１のいずれか１項に記載の視覚検査装置。
【請求項１３】
前記表示制御手段は、固視点の表示において、少なくとも前記視覚パターンの一部に時間的な変化を発生させる直前においては、固視点を点滅表示させることを特徴とする請求項１から１２のいずれか１項に記載の視覚検査装置。
【請求項１４】
被検者を固視させる固視点を表示する工程と、
該固視点の周りを囲む図形として構成された視覚パターンを、該視覚パターンの一部に時間的な変化を発生させて表示する工程と、
前記視覚パターンの一部に発生した時間的な変化に対する被検者の応答を受け取って被検者が該時間的な変化を知覚したかどうかを判定する工程と、を備え、
複数の視覚パターンを順次表示し、表示する毎にそのサイズを変化させて視覚検査が行われることを特徴とする視覚検査方法。
【請求項１５】
被検者を固視させる固視点を表示する工程と、
該固視点の周りを囲む図形として構成された視覚パターンを、該視覚パターンの一部に時間的な変化を発生させて表示する工程と、
前記視覚パターンの一部に発生した時間的な変化に対する被検者の応答を受け取って被検者が該時間的な変化を知覚したかどうかを判定する工程と、を備え、
前記固視点を表示させた後視覚パターンの一部に時間的な変化を発生させ、同時に固視点を消滅させて視覚検査が行わることを特徴とする視覚検査方法。
【請求項１６】
被検者を固視させる固視点を表示する工程において、少なくとも前記視覚パターンの一部に時間的な変化を発生させる直前においては、固視点を点滅表示させることを特徴とする請求項１５に記載の視覚検査方法。
【請求項１７】
請求項１４から１６のいずれか１項に記載の視覚検査方法をコンピュータに実行させることを特徴とする視覚検査プログラム。
【請求項１８】
請求項１７に記載の視覚検査プログラムを格納したコンピュータにより読み取り可能な記録媒体。
【発明の詳細な説明】
【技術分野】
【０００１】
本発明は、表示された視覚パターンの一部に発生する時間的な変化に対する被検者の応答に基づいて視覚障害を検査する自覚式の視覚検査装置、視覚検査方法、視覚検査プログラム及び同プログラムを格納した記録媒体に関するものである。
【背景技術】
【０００２】
黄斑部の網膜が部分的に隆起し変形する黄斑変性症（ＡＭＤ）と呼ばれる病気があり、失明の主要な要因となっている。網膜の変形度合いに応じて視覚障害が発生することは広く知られており、この視覚障害を検査することにより、黄斑変性症を診断することができる。
【０００３】
下記特許文献１には、人工的な歪みを持った視覚パターン、または歪みを持たない視覚パターンを、ディスプレイに、短い時間だけ表示させ、視覚障害を検査するための自覚式検査方法が記載されている。この文献に記載された構成では、患者は表示された視覚パターンを見て、歪みを知覚した場合、その歪みを知覚した位置を自分で応答し、該応答した位置情報に基づいて、黄斑変性症の疾患の評価を行っている。
【０００４】
また、下記特許文献２には、固視視標の周囲に、表示位置や大きさなど予め定めた条件で検査視標を順次表示させて、各検査視標を視認できるか否かを調べ、視野検査を行う構成が記載されている。この特許文献２では、固視視標を中心として描かれる円形の一部を分離することにより検査視標を形成する例が示されており、円形の径を変えたり、分離位置を変化させて視野検査を行っている。
【先行技術文献】
【特許文献】
【０００５】
【特許文献１】特表２００４−５１０４７８号公報
【特許文献２】特開２００２−２０９８４９号公報
【発明の概要】
【発明が解決しようとする課題】
【０００６】
特許文献１の構成では、ディスプレイに表示される視覚パターンの表示時間が１００〜１６０ミリ秒と非常に短く、そもそも視覚パターンの中の歪みを知覚することが困難である。また、同構成では、患者は、視覚パターン全体がディスプレイ画面から完全に消えた後に、無の画面に向かって、歪みを知覚した位置を、画面上で応答する必要があり、応答操作を困難にしている。更に、視覚パターンが、いつ、どこに現れるか予想できないため、患者としては不安を感じ、安定した視覚検査ができなくなる恐れがある、という問題がある。
【０００７】
また、特許文献２の構成は、視野検査を目的とするものであり、固視視標を注視したままでその周囲に表示された検査視標を視認できるか否かを調べるので、被検者は常時固視視標を注視し、しかも検査視標を視認することを強いられ、被検者にとって精神的に負担のかかる検査となっている。
【０００８】
本発明は、このような点を鑑みてなされたもので、被検者にかかる精神的な負担を減らし、被検者の応答の信頼性を高め、視覚障害を簡便に検査することが可能な自覚式の視覚検査装置、視覚検査方法、視覚検査プログラム及び同プログラムを格納した記録媒体を提供することを課題とする。
【課題を解決するための手段】
【０００９】
本発明は、
被検者を固視させる固視点を表示すること、
該固視点の周りを囲む図形として構成された視覚パターンを、該視覚パターンの一部に時間的な変化を発生させて表示すること、
前記視覚パターンの一部に発生した時間的な変化に対する被検者の応答を受け取って被検者が該時間的な変化を知覚したかどうかを判定すること、
複数の視覚パターンを順次表示し、表示する毎にそのサイズを変化させること、あるいは、固視点を表示させた後前記時間的な変化を発生させ、同時に固視点を消滅させるように、固視点の点灯を制御することを特徴とする。
【００１０】
また、本発明では、視覚パターンのサイズが変わる毎に該視覚パターンの一部に発生する時間的な変化の発生位置が変化される。
【００１１】
また、本発明では、所定時間が経過するごとに視覚パターンがそのサイズを変化させて表示される。
【００１２】
視覚パターンはリングとして構成され、リング中心を固視点と合致させてリングが表示され、視覚パターンの一部に発生する時間的な変化は、リングに切れ目を発生させることにより行われる。
【発明の効果】
【００１３】
本発明では、複数の視覚パターンが順次表示され、各視覚パターンは、表示毎に、そのサイズを変化させて固視点の周りに表示され、その一部に時間的な変化が発生する。従って、被検者は視覚パターンの出現並びにその一部の時間的な変化の発生を予測することが容易になり、被検者にとって負担が少ない視覚検査ができ、また、視覚パターンを追いかけるようなことが少なくなるので、信頼性のある視覚検査を行うことができる。
【００１４】
また、固視点を表示させた後視覚パターンの一部に時間的な変化を発生させるようにしているので、固視点の表示が時間的な変化発生の合図になるとともに、時間的な変化が発生すると同時に固視点が消滅するので、被検者は視覚パターンに気を配ることができるようになり、被検者の負担が少なく、信頼性のある視覚検査が可能になる。
【図面の簡単な説明】
【００１５】
【図１】視覚検査装置の構成を示す斜視図である。
【図２】視覚検査装置の構成を示すブロック図である。
【図３】視覚パターンの形状を示す説明図である。
【図４】視覚パターン並びにその切れ目位置を変化させる状態を説明する説明図である。
【図５】視覚検査の流れを示すフローチャートである。
【図６】視覚検査の流れを示す説明図である。
【図７】複数の視覚パターンを重ね合わせたときの状態を示す説明図である。
【図８】視覚パターンの切れ目位置の発生とその応答を記録する記録装置の記録内容を示す表図である。
【発明を実施するための形態】
【００１６】
以下、図面に示す実施例に基づいて本発明を詳細に説明する。
【実施例】
【００１７】
図１は、本発明実施例に係る自覚式視覚検査装置の全体構成を示している。視覚検査装置は、パソコン（パーソナルコンピュータ）１０として構成されており、パソコン１０には、応答スイッチ１３が接続される。
【００１８】
パソコン１０は、例えばＣＤ−ＲＯＭ等の記録媒体あるいはインターネットを介してパソコンにインストールされた視覚検査プログラムをパソコン１０の制御ユニット（ＣＰＵ）２０（図２参照）が実行し、被検者からの応答スイッチ１３による入力に応じて、視覚検査を行う。パソコン１０は、各種データを表示する表示部としてのディスプレイ１１と、検者あるいは被検者が各種のデータを入力するための入力手段としてのキーボード１２を備えている。
【００１９】
応答スイッチ１３は、視覚検査時に表示された視覚パターンの一部に発生する時間的な変化を被検者が知覚したとき、被検者がその知覚した旨の応答をパソコン１０に入力するための入力手段である。
【００２０】
図２はパソコン１０の構成をブロック図として示している。制御ユニット２０はＣＰＵで構成され、各種の制御プログラム、本発明の視覚検査プログラムを実行し、各種の演算処理、データ処理を行う。また、制御ユニット２０は、後述するように、視覚パターンを、その一部に切れ目を発生させてディスプレイ１１に表示させる表示制御手段２０ａ、並びに切れ目に対する被検者の応答を受け取って被検者が該切れ目を知覚したかどうかを判定する知覚判定手段２０ｂを構成する。
【００２１】
ＲＯＭ２１は、制御プログラム、固定データなどを格納しており、ＲＡＭ２２は、制御プログラム、視覚検査プログラム、各種処理データを一時的に格納する作業用のメモリとして用いられる。また、パソコン１０は、ＨＤ（ハードディスク）で構成される記憶装置２３を内蔵しており、ネットワークインターフェース２４を介してインターネットとも接続可能である。
【００２２】
パソコン１０には、ディスプレイ１１、キーボード１２、応答スイッチ１３、プリンタ１４（図１には不図示）がそれぞれ接続される。
【００２３】
なお、パソコン１０はタッチパネル式のタブレットとして構成することもでき、その場合はキーボードはタブレットに別接続するかあるいはタブレットにキーボード機能を表示させることにより実現される。また、応答スイッチも、タブレットに別接続するか、タブレットに応答ボタンを表示させ、これをタッチすることによりその機能を実現することができる。
【００２４】
図３は、本実施例の視覚検査装置に用いられる視覚パターンの代表的な表示例を示している。図３（ａ）において、ディスプレイ１１には、固視点Ｆが画面のほぼ中心に表示され、被検者はこの固視点を注視することにより眼を固視させる。視覚パターンＰは、この固視点Ｆの周りを囲むように描かれる図形で、本実施例では、固視点Ｆを中心に描かれる内径ｒ、外径がｒ’のリング形状になっている。従って、視覚パターンＰは、その中心点と固視点Ｆを常に合致させてディスプレイ１１に表示される。なお、視覚パターンはリングでなく、多角形図形あるいはその他固視点Ｆの周りを囲むように描かれる幾何学的な図形とすることができる。
【００２５】
視覚パターンＰには、その視覚パターンの一部に明るさ及び／又は形状に時間的な変化が発生する。この時間的な変化は本実施例では、視覚パターンＰに切れ目（ノッチ）Ｎを入れることにより発生される。また、視覚パターンＰはディスプレイ１１に背景Ｂで表示され、図３（ａ）に示す例では、視覚パターンＰとその背景Ｂは、そのコントラストは小さい（弱い）が、図３（ｂ）に示すように、背景Ｂ’を明るいものにすることによりコントラストを大きく（強く）することができる。この場合、視覚パターンＰの切れ目Ｎ’は視覚パターンＰよりは明るく、また背景Ｂ’よりは暗く表示するようにする。
【００２６】
図４は、視覚パターンの一部に時間的な変化を発生される例を示す。以下の説明では、視覚パターンをリングとして、また、時間的な変化を、リングの一部がリング幅（リングの外径ｒ’と内径ｒの差）で周方向に切断され、リングがランドルト環のように「Ｃ」形状になる切れ目として、説明する。また、リング径は、リングの外径を指すものとする。
【００２７】
図４の上段左に示したように、リングＲは、その中心点を固視点Ｆに合致させてディスプレイ１１に、例えば約１秒間表示される。続いて上段中央に示すように、固視点Ｆが消えてリングＲに切れ目Ｎが、例えば約０．３秒発生する。なお、図４上段左の表示で、固視点Ｆを点滅させたあと、上段中央に示すように、リングＲに切れ目Ｎを発生させ、それと同時に固視点Ｆを点滅させ、固視点Ｆの点滅により今から切れ目が発生することのイベントを知らせるようにする。その後、上段右に示したように、切れ目Ｎが消滅して、固視点Ｆが表示されて、上段左に示したのと同じ表示状態となり、この状態が１秒間持続する。
【００２８】
図４の上段は、所定のリング径のときに、切れ目が発生する前後の状態を示したもので、被検者は、固視点Ｆが点滅後に発生する切れ目を被検者が知覚した場合には、被検者は応答スイッチ１３で応答する。被検者は、健常眼であれば、切れ目Ｎの発生に応答するので、知覚判定手段２０ｂは、この応答を受け取って被検者が該切れ目を知覚したと判定し、一方、被検者が応答しなければ、切れ目Ｎが知覚されていないと判定し、切れ目Ｎの位置に関連して応答の有無を記憶装置２３に記録する（図８）。
【００２９】
図４の下段に示す例では、リングのサイズが変化し、リング径が順次大きくなる例を示している。下段左に示したように、所定径のリングＲがその中心点を固視点Ｆに合致させて表示される。このとき、切れ目Ｎは、例えばリングの右側中央に発生している。次の検査時には、下段中央に示したように、径が大きくなったリングＲ’がその中心点を固視点Ｆに合致させて表示され、切れ目Ｎより反時計方向に９０度ずれた位置に切れ目Ｎのサイズ（面積）よりも大きな切れ目Ｎ’が発生する。次の検査時には、下段右に示したように、リング径が更に増大したリングＲ”がその中心点を固視点Ｆに合致させて表示され、切れ目Ｎ’より反時計方向に１８０度ずれた位置に切れ目Ｎ’のサイズ（面積）も大きな切れ目Ｎ”が発生する。
【００３０】
なお、図４の下段に示す例でも、固視点Ｆを点滅させたあとリングに切れ目を発生させ、その固視点Ｆの点滅により今から切れ目が発生することのイベントを被検者に知らせるようにし、切れ目の発生に同期して固視点を消滅させる。また、図４に示した例では、リング径を順次大きくしているが、リング径を順次小さくするようにしてもよい。リング径を拡大ないし縮小する場合、リング幅はリング径が変化しても一定にするのが好ましい。しかし、後述するように、表示されるすべてのリングをそれぞれ中心を一致させて重ね合わせた場合、各リングが重なり合わない範囲で、リング径を変えるときリング幅も変化させるようにしてもよい。
【００３１】
以上のように、複数の視覚パターン（リング）が順次表示され、各視覚パターンは、表示毎に、つまり検査が進む毎にそのサイズ（リング径）が大きくなるように、又は小さくなるように、変化させて固視点の周りに表示され、その一部に時間的な変化（切れ目）が発生する。従って、被検者は視覚パターンの出現並びにその一部の時間的な変化（切れ目）の発生を予測することが容易になり、被検者にとって負担が少ない視覚検査ができ、また、視覚パターンを追いかけるようなことが少なくなるので、信頼性のある視覚検査を行うことができる。
【００３２】
また、次の視覚パターンが表示されるまでの時間を所定時間（上記例では、約１秒）に設定するようにすると、視覚パターンの出現並びに時間的な変化（切れ目）の発生時期の予測が更に容易になり、被検者の負担が少なく、信頼性のある視覚検査が可能になる。
【００３３】
また、固視点を表示させた後視覚パターンの一部に時間的な変化を発生させるようにしているので、固視点の表示が時間的な変化発生の合図になるとともに、時間的な変化が発生すると同時に固視点が消滅するので、被検者は視覚パターンに気を配ることができるようになり、被検者の負担が少なく、信頼性のある視覚検査が可能になる。
【００３４】
上述した固視点Ｆの点灯、点滅、消滅などの制御、視覚パターン（リング）のサイズ（リング径）並びに各視覚パターンを表示させる時期、時間的な変化（切れ目）の発生位置並びにその大きさ、その発生期間など、それに、視覚パターンとその背景の明るさなどは制御ユニット２０の表示制御手段２０ａにより制御される。
【００３５】
次に、図５、図６を参照して、代表的な視覚検査の流れを説明する。視覚検査は、インターネットを介してダウンロードされた、あるいは記憶装置２３に格納されている視覚検査プログラムを制御ユニット２０が実行することにより行われる。本実施例では、視覚パターンを、図４に示した例と同様に、リングとして、また時間的な変化を切れ目として説明し、リング径を外径で示す。
【００３６】
検査を開始するに際して、初期値を設定する（ステップＳ１）。初期値としては、開始リング径、最大リング径、次の径のリングを表示するまでの時間、開始切れ目の大きさ、リングと背景のコントラスト、固視点の点滅表示時間、応答待機時間などである。
【００３７】
まず、図６の上段左に図示したように、固視点Ｆとその固視点Ｆを中心に径ｒ１のリングＲ１をディスプレイ１１に表示する（ステップＳ２、Ｓ３）。固視点Ｆはディスプレイ１１の画面中央の同じ場所に表示され、リングＲ１の中心点を固視点Ｆに合致させて、固視点ＦとリングＲ１が同時に表示されるので、被検者は固視点を見つつ、リングＲ１が同時に視野に入るので、不安を感じることが少なくなる。
【００３８】
この時点では、被検者に提示されるリングＲ１には、切れ目（欠け）はないが、固視点Ｆが点滅し始め（ステップＳ４）、そのあとリングＲ１には、切れ目Ｎ１が一定時間表示され、この切れ目Ｎ１の表示に同期して固視点Ｆが消滅する（ステップＳ５、図６上段中央）。切れ目Ｎ１の表示時間は、知覚に必要な時間として、例えば最低０．２〜０．３秒の時間が設定される。固視点Ｆの点滅を合図にリング視覚パターンＲ１には、切れ目が発生するので、切れ目がいつ発生するか分らないという不安から患者を解放することができる。
【００３９】
被検者は、固視点Ｆの点滅情報を得た時点で、固視点Ｆに注視しつつも、既に視野に入っているリングＲ１の全周に神経を配るが、「切れ目」というイベントは、そもそもリングＲ１以外のエリアでは起きない。従って、被検者の神経は、限定された範囲に置くことができる。この意味で、被検者の意識は、固視点Ｆに置きつつも、リングＲ１の限られた範囲に、切れ目の発生を意識させる点で、安心して視覚検査を行え、被検者には、知覚しやすい視覚パターンが提示されることになる。
【００４０】
切れ目Ｎ１はリングＲ１の一部（径方向に見て一方向）のみに形成され、図６に示した例では、リングＲ１の中央右に発生する。黄斑変性症（ＡＭＤ）により黄斑の一部分が炎症を起こしている場合、その網膜部位はコントラスト視力が悪化する。網膜炎症部位と、リングＲ１の切れ目が、位置的に合致した場合、被検者はこの切れ目を知覚できず、一方健常眼はその切れ目が知覚できる、と考えられている。従って、リングＲ１に切れ目Ｎ１が発生したとき、被検者が応答スイッチ１３で応答すれば、知覚判定手段２０ｂは、切れ目Ｎ１が知覚されていると判定し（ステップＳ６）、所定時間ｔ１（例えばｔ１＝０．３秒）経過しても応答がない場合には（ステップＳ７）、知覚されていないと判定する。この応答は応答スイッチ１３による応答ではなく、口頭でも良い。
【００４１】
このリングＲ１の検査が終了したら、切れ目Ｎ１が消滅して固視点Ｆが再び表示され（ステップＳ８）、切れ目発生以前の画面に戻る（図６上段右）。続いて、所定時間ｔ２（例えば、ｔ２＝１秒）経過後（ステップＳ９）、リング幅が同じで径がｒ２（＞ｒ１）のリングＲ２が固視点Ｆを中心に描画される（ステップＳ１０、Ｓ３、図６下段左）。
【００４２】
続いて、固視点Ｆが点滅し始め、その点滅を合図にしてリングＲ２には、切れ目Ｎ２が表示され、この切れ目Ｎ２の表示に同期して固視点Ｆが消滅する（ステップＳ５、図６下段中央）。この切れ目Ｎ２は、切れ目Ｎ１とは、固視点Ｆからの径方向が、例えば９０度反時計方向に異なった位置に発生し、切れ目Ｎ１より大きな切れ目となっている。
【００４３】
切れ目Ｎ２が発生したとき、被検者が応答スイッチ２０で応答すれば、切れ目Ｎ２が知覚されていると判定し、応答がない場合には、知覚されていないと判断し、その後、同様にステップＳ３で表示された画面と同じになり、切れ目Ｎ２が消滅して固視点Ｆを中心にリングＲ２が表示される（ステップＳ８、図６下段右）。
【００４４】
以下、同様に幅が同じで径が拡大したリングＲｉ（ｉ＝３、４、．．．．ｎ）が順次表示され、固視点Ｆの点滅を合図にしてリングＲｉには、切れ目Ｎｉが前の切れ目とは径方向に異なる位置に一定時間表示され、この切れ目Ｎｉの表示に同期して固視点Ｆが消滅する。被検者は、健常眼であれば、切れ目Ｎｉの発生に応答し、応答しなければ、切れ目Ｎｉが知覚されていないと判断される。
【００４５】
以下、リング径が最大のリングＲｎに対して検査が行われたら検査を終了する（ステップＳ１１）。このように、リング径を変えて順次表示し、径が異なるリングが表示される毎に切れ目の発生する位置（方向）を変化させることにより、種々の網膜部位でのコントラスト視力の低下を測定することができ、黄斑変性症の診断に効果的な手段が提供される。
【００４６】
上述した例では、リング径は拡大する方向に変化されたが、減少する方向に変化させるようにしてもよい。この場合は、開始リング径を最大にして、ステップＳ１０でリング径を順次小さくし、ステップＳ１１で、リング径が最小になったか否かを判断するようにすればよい。
【００４７】
また、上述した例では、リング径が変わる毎に、切れ目位置を変化させたが、同じリング径で切れ目の方向が異なるリングを複数（例えば４個以上）用意しておき、これを順次表示し、同じリング径で異なる切れ目位置での検査を行うようにしてもよい、この検査を終えたら、次に一つだけ大きな（あるいは小さな）径のリングを表示し、このリング径で切れ目をその方向を変えて順次表示して検査する。
【００４８】
このように、同じリング径で方向が９０度毎に切れ目を発生させ、またリング径が大きくなる毎に、切れ目の位置を３０度ずつずらしたリングＲｉが図７に図示されている。このように、本実施例では、複数のリングを径を変えて順次表示し、表示される全てのリングの中心を固視点に合わせて各リングを表示したとき、切れ目が互いに重複しないように、各リングの一部に切れ目が発生される。また、切れ目のサイズは、固視点から遠ざかるにつれて大きくなるように発生される。
【００４９】
このように、被検者は、次に現れるリングを予測して検査を受けることができる。従って、被検者は、画面全体に常に気を配る必要がなく、安心して検査を進行することができ、固視点を注視しつつ、切れ目が現れると想定される視覚パターンに注意の範囲を絞ることができることから、被検者にとって負担が少なく、また信頼性のある視覚検査が可能となる。
【００５０】
図８は、切れ目Ｎｉ（ｉ＝１、２、．．．．．ｎ）毎に、その切れ目位置、そのサイズ、応答の有無を記録したもので、記憶装置２３あるいは外部の記録装置にテーブルの形で記録しておくことができる。
【００５１】
コントラスト視力や、視力解像度は、患者の個人差、または治療後のベースラインで、異なることが想定される。
【００５２】
このベースラインというのは、ＡＭＤ患者の治療直後に測定したデータを、その患者の基準値として登録したものである。従って、視機能が正常ではないという測定結果の場合でも、例えば、一箇所だけ“切れ目”が回答できていなかったりした場合であっても、それを治療直後のベースラインとして登録される。そして、患者に治療した後に、病気が再発していないかどうかを調べるために測定を再度行い、その結果を、その患者のベースラインとして予め登録してあるベースラインと比較する、という診断に利用される。
【００５３】
そこで、健常者と思われる群から、疾患の疑いのある人を見つけ出すためのスクリーニングとして、この視覚装置を使う場合には、決まったコントラスト（視覚パターンと背景のコントラスト）、決まった視力（切れ目のサイズ）を、しきい値として決めておけば良い。しかし、特定の患者に絞って、治療予後の疾患再発を検出するという目的のためには、患者ごとに、コントラスト（視覚パターンと背景のコントラスト）、視力（切れ目のサイズ）のベースラインを決めて、経過変化により悪化を見つけ出すという方法が望ましい。
【符号の説明】
【００５４】
１０  パーソナルコンピュータ    
１１  ディスプレイ
１２  キーボード    
１３  応答スイッチ
２０  制御ユニット（ＣＰＵ）
２０ａ  表示制御手段
２０ｂ  知覚判定手段
２３  記憶装置
Ｐ  視覚パターン
Ｆ  固視点
Ｒ、Ｒ’、Ｒ”  リング
Ｎ、Ｎ’、Ｎ”  切れ目
【図１】
2016116542.tif 000003
【図２】
2016116542.tif 000004
【図３】
2016116542.tif 000005
【図４】
2016116542.tif 000006
【図５】
2016116542.tif 000007
【図６】
2016116542.tif 000008
【図７】
2016116542.tif 000009
【図８】
2016116542.tif 000010